(57)【要約】【課題】  ＢＯＸプリントにおいて、ＢＯＸへは実データではなく実データのリファレンス（ＵＲＩ）を登録し、ＵＩ上からプリントを行う際に当該ＵＲＩを参照し、実データを取得してプリントを実行する。ＨＤＤへの不正アクセス防止およびデータ共有の利便性を向上させることを目的とする。【解決手段】  ホストからコントローラに対し印刷データのＵＲＩを送信し、コントローラではＵＲＩを保持する。ユーザは当該データの印刷の際、ＢＯＸ内にリストアップされたＵＲＩを指定する。コントローラはＵＲＩで指定された印刷データを取得し印刷を行う。【選択図】  図１
2006209587.tif 000002
【特許請求の範囲】
【請求項１】
ネットワーク上のホストコンピュータからの指示により出力を行うプリントシステムにおいて、
画像形成装置に接続される外部通信手段、
前記外部装置から画像データを入力する入力手段、
画像データの位置情報を得てその場所を特定する位置決定手段、
前記位置決定手段によって特定された画像データを取得する取得手段、
前記入力手段および前記取得手段から得た画像データを展開する展開手段、
前記展開手段によって展開された画像データを記憶する記憶手段、
を有し、ホストコンピュータから設定された画像データの位置情報、基づき前記位置決定手段で特定された画像データを前記取得手段で取得することを特徴とするプリントシステム。
【請求項２】
請求項１のプリントシステムにおいて、前記画像データの位置情報はＵＲＩであることを特徴とするプリントシステム。
【請求項３】
請求項１のプリントシステムにおいて、前記位置情報を複数保持できることを特徴とするプリントシステム。
【請求項４】
請求項１のプリントシステムにおいて、前期位置情報に別名を付けて表示できることを特徴とするプリントシステム。
【請求項５】
請求項１のプリントシステムにおいて、前記画像形成装置はデジタルカラー複写機であることを特徴とするプリントシステム。
【請求項６】
請求項１のプリントシステムにおいて、前記画像形成装置はプリンタであることを特徴とするプリントシステム。
【請求項７】
請求項１のプリントシステムにおいて、前記外部装置はホストコンピュータであることを特徴とするプリントシステム。
【請求項８】
請求項１のプリントシステムにおいて、前記外部通信手段はエンジンインタフェースであることを特徴とするプリントシステム。
【請求項９】
請求項１のプリントシステムにおいて、前記展開手段はＣＰＵ（中央演算処理装置）であることを特徴とするプリントシステム。
【請求項１０】
請求項１のプリントシステムにおいて、前記記憶手段はフレームメモリであることを特徴とするプリントシステム。
【請求項１１】
請求項１のプリントシステムにおいて、前記記憶手段は不揮発性メモリであることを特徴とするプリントシステム。
【請求項１２】
請求項１のプリントシステムにおいて、前記記憶手段は複数の領域に分割し、それぞれ独立にアクセスできることを特徴とするプリントシステム。
【請求項１３】
請求項１のプリントシステムにおいて、前記記憶手段に記憶された画像データを前記画像形成装置にて出力した後削除することを特徴とするプリントシステム。
【発明の詳細な説明】
【技術分野】
【０００１】
本発明は、デジタル複写機に接続された画像処理システムに関するものである。
【背景技術】
【０００２】
近年様々なデジタル複写機が普及しており、このデジタル複写機に対して各種インターフェース装置を接続し、ホストコンピュータから画像データの出力を行えるようなシステムが開発されている。
【０００３】
さらに、画像処理システムで処理した画像データをデジタル複写機が持つデータ格納領域（以下ＢＯＸと呼ぶ）に格納し、パネル上の操作によって出力を行うシステム（以下セキュアプリントと呼ぶ）も開発されている。
【０００４】
又、別の従来例としては、例えば特許文献１をあげることが出来る。
【特許文献１】特開２００４−１８１７６３号公報
【発明の開示】
【発明が解決しようとする課題】
【０００５】
従来セキュアプリントを行う際、プリントジョブはＢＯＸに内に格納されているため、ＢＯＸへの不正アクセスによって情報の漏洩が懸念されていた。
【０００６】
また、共有したいデータを複数のデジタル複写機に保持したい場合、それぞれのデジタル複写機にデータを用意する必要があり、データを共有する上で不便があった。
【０００７】
本発明では上述の点に鑑みてなされたものであり、ネットワークで接続されたホストコンピュータからの指示によってセキュアプリントを行うシステムにおいて、ＢＯＸへは実データではなく実データのリファレンス（ＵＲＩ）を登録し、ＵＩ上からプリントを行う際に当該ＵＲＩを参照し、実データを取得してプリントを実行することによって、ＨＤＤへの不正アクセス等からデータを保護することができる。また、プリンタにはＵＲＩを登録しリファレンスプリントを行うことにより、複数のプリンタに登録する場合でも実印刷データは一つ用意すればよく、ユーザの利便性を高めると共にデータ更新による登録データの不整合を防ぐことができるプリントシステムを提供することを目的としている。
【課題を解決するための手段】
【０００８】
上記目的を達成するために本願発明は、ネットワーク上のホストコンピュータからの指示により出力を行うプリントシステムにおいて、画像形成装置に接続される外部通信手段、前記外部装置から画像データを入力する入力手段、画像データの位置情報を得てその場所を特定する位置決定手段、画像データ取得時間情報を得て取得時間を決定する時間決定手段、前記決定手段によって特定された画像データを前記時間決定手段によって定められた時間に取得する取得手段、前記入力手段および前記取得手段から得た画像データを展開する展開手段、前記展開手段によって展開された画像データを記憶する記憶手段、を有し、ホストコンピュータから設定された画像データの位置情報、取得時間に基づき前記位置決定手段で特定された画像データを前記時間決定手段によって特定された時間に前記取得手段で取得することを特徴とする。
【発明の効果】
【０００９】
以上のように本発明によれば、ネットワークで接続されたホストコンピュータからの指示によってセキュアプリントを行うシステムにおいて、ＢＯＸへは実データではなく実データのリファレンス（ＵＲＩ）を登録し、ＵＩ上からプリントを行う際に当該ＵＲＩを参照し、実データを取得してプリントを実行することによって、ＨＤＤへの不正アクセス等からデータを保護することができる。また、プリンタにはＵＲＩを登録しリファレンスプリントを行うことにより、複数のプリンタに登録する場合でも実印刷データは一つ用意すればよく、ユーザの利便性を高めると共にデータ更新による登録データの不整合を防ぐことができるプリントシステムを提供することができる。
【発明を実施するための最良の形態】
【００１０】
以下、本発明の実施例を説明する。
【実施例１】
【００１１】
まず、画像処理装置について図１を用いて説明する。１は本発明の中心をなす画像処理装置であり、その内部概略構成図を示す。２はホストコンピュータであり、インタフェースケーブル３によって外部Ｉ／Ｆ４を介して、画像処理装置１と接続される。画像形成装置２１は、インタフェースケーブル２０によってエンジンインタフェース１９を介して、画像処理装置１と接続される。本図では画像形成装置は画像処理装置の外部に接続されているが、同一筐体に内蔵されている場合も同様である。
【００１２】
第一のＣＰＵ８は外部に接続される画像形成装置以外のＩ／Ｏをコントロールするものである。第一のＣＰＵバス５には、ホストコンピュータ２とのインターフェースとなる外部Ｉ／Ｆ４、プログラムメモリ９、Ｉ／Ｏバス１１をコントロールするＩ／Ｏバスコントローラ１０などが接続されている。また第二のＣＰＵ１６の第二のＣＰＵバス６と結合できるようにバスコントローラ７も接続されている。第二のＣＰＵ１６については後述する。Ｉ／Ｏバスコントローラ１０は、Ｉ／Ｏバス１１に接続されたフレキシブルディスクドライブ１２、ハードディスクドライブ１３、ＬＣＤコントローラ１４、図示していないが操作部などの汎用Ｉ／Ｏをコントロールしている。
【００１３】
第二のＣＰＵ１６は接続される画像形成装置２１のコントロール、さらに、フレームメモリ１５に格納される画像データの展開を行う。第二のメモリ１７はプログラムメモリであり、電源投入時にハードディスクドライブ１３から、バスコントローラ７を介して、制御プログラムがロードされる。また、メモリ１７は第一のＣＰＵ８との通信にも用いられる。第二のＣＰＵバス６にはエンジンインタフェース１９が接続され、各種設定を行いながら、画像形成装置２０をコントロールする。ビデオバス１８は画像専用のバスであり、第二のＣＰＵ１６で展開され、フレームメモリ１５に格納された画像データは、ビデオバス１８を通ってエンジンインタフェース１９に送られ、さらに画像形成装置２１へと送られる。
【００１４】
次に、画像処理装置に接続される画像形成装置について図２を用いて説明する。２２はエンジンインタフェースであり、インタフェースケーブル２０を介して画像処理装置１と接続される。画像形成装置１より送られた画像データは、感光ドラム２４上に潜像され、現像器２３によって画像形成される。給紙制御部２６は画像処理装置１からの指示に応じて、給紙部２９または中間排紙トレイ２８から給紙を行い、転写ドラム２５に用紙を装着する。その後、転写ドラム２５に装着された用紙上に、感光ドラム上に形成された画像を転写し、定着器２７によって画像の定着を行う。画像の定着後、画像処理装置の指示に応じて用紙を排紙部３０へ排紙するか、中間排紙トレイ２８へ格納する。またスキャナ３１で読み取った画像データは制御部３２で処理され、前記画像形成装置１より送られた画像データと同様に印刷が行われる。
【００１５】
次に、リファレンスプリントを行う際の処理について図３を用いて説明する。図３において、ホストコンピュータから画像処理装置に対しては印刷データのＵＲＩを格納する。画像処理装置は印刷データのＵＲＩを保持し、パネルからのユーザの操作により指定されたＵＲＩで示される印刷データを取得し印刷する。
【００１６】
次に、リファレンスプリントを行う際の操作パネルの外観について図４を用いて説明する。図４において、ＢＯＸに登録されているＵＲＩの一覧から印刷したいデータのＵＲＩを選択する。選択されたＵＲＩが反転表示された状態で、画面上の［ＯＫ］ボタンを押下することによって印刷が実行される。印刷を中止する場合は画面上の［Ｃａｎｃｅｌ］ボタンを押下する。また、ＵＲＩには別名を設定することが可能である。ＵＲＩに別名を設定することにより、一般的に記憶しやすい名前（例えば「ＩＡ  Ｃ３２００Ｎカタログ」など）をリスト表示することができ、データの選択を容易にできる。
【００１７】
次に、リファレンスプリントを行う際の処理の流れについて図５を用いて説明する。図５はリファレンスプリント処理のフローチャートである。図５において、Ｓ５０１で印刷したいデータのＵＲＩを操作パネル上から指定する。指定されたＵＲＩに基づき、Ｓ５０２で指定されたＵＲＩにデータが存在するかを確認する。データが存在した場合Ｓ５０３でデータの取得を行い、続けてＳ５０４で取得したデータの印刷を行い、処理を終了する。Ｓ５０２において指定されたＵＲＩにデータが存在しなかった場合、Ｓ５０５においてエラーを表示し処理を終了する。
【００１８】
次に、画像処理装置に登録されたＵＲＩを操作パネル上に表示する際の処理の流れについて図６を用いて説明する。図６はＵＲＩ表示処理のフローチャートである。図６において、Ｓ６０１で当該ＵＲＩに別名が設定されているかをチェックする。別名が設定されていた場合、Ｓ６０２で設定されている別名を表示して処理を終了する。Ｓ６０１において当該ＵＲＩに別名が設定されていなかった場合、Ｓ６０３で当該ＵＲＩを表示して処理を終了する。
【実施例２】
【００１９】
実施例１では、画像処理装置に実データではなく実データが存在するＵＲＩを登録し、操作パネル上から当該ＵＲＩを指定し印刷する処理について述べたが、同一ＵＲＩを複数の画像処理装置に登録し、データを共有することも本提案の実施例の一つである。特定の画像処理装置からＵＲＩを指定して印刷を行う場合の処理は実施例１と同等であるため、ここでは実施例１との差分のみを示す。
【００２０】
図７はデータを共有し、複数の画像処理装置で印刷する場合の処理の概略図である。ユーザはホストから画像データを特定の記憶領域に保存し、そのＵＲＩを画像処理装置Ａおよび画像処理装置Ｂに送信する。また、ここに図示していないが画像処理装置の数は特に規定しない。ユーザは任意の画像処理装置の操作パネル上から当該ＵＲＩを指定することによって、いずれの画像処理装置からでも所望の出力を得ることができる。また、共有データの変更を行う場合、ユーザはＵＲＩで示される記憶領域のデータのみを変更すればよく、全ての画像処理装置にデータを送りなおす必要はない。
【図面の簡単な説明】
【００２１】
【図１】画像処理装置のブロック図。
【図２】画像形成装置のブロック図。
【図３】リファレンスプリント処理概略図。
【図４】リファレンスプリント設定パネル概観。
【図５】リファレンスプリント処理フローチャート。
【図６】ＵＲＩ表示処理フローチャート。
【図７】データ共有の概略図。
【図１】
2006209587.tif 000003
【図２】
2006209587.tif 000004
【図３】
2006209587.tif 000005
【図４】
2006209587.tif 000006
【図５】
2006209587.tif 000007
【図６】
2006209587.tif 000008
【図７】
2006209587.tif 000009